(57)【要約】【課題】段ボール板製の包装箱の廃棄処分時の折り畳みを容易に行なえるようにする。【解決手段】段ボール板を材料として作られ、２組の対向側板２，３と、この対向側板２，３の下端に連設された底板形成用フラップ４，５と、この対向側板２，３の上端に連設された上蓋形成用フラップ６，７とを備えてなる平面形状が矩形の包装箱１であって、長辺側の側板３の上端に連設される上蓋形成用フラップ７および長辺側の側板３の下端に連設される底板形成用フラップ７の適所に折り畳み用の切刃１２および１３を側板２，３間の連設線と平行な線上で形成した。【選択図】        図５
2004203440.tif 000002
【特許請求の範囲】
【請求項１】
段ボール板を材料として作られ、２組の対向側板と、この対向側板の下端に連設された底板形成用フラップと、この対向側板の上端に連設された上蓋形成用フラップとを備えてなる平面形状が矩形の包装箱であって、上蓋形成用フラップおよび底板形成用フラップの適所における側板間の連設線と平行な線上に切刃または罫線などの折り畳み用の部分折線を形成してなることを特徴とする包装箱。
【請求項２】
前記２組の対向側板の内、一方の対向側板の幅が他方の対向側板に比べて長い寸法に設定され、前記部分折線は、前記長寸法の対向側板の一方の側板に連設された上蓋形成用フラップおよび底板形成用フラップに形成されていることを特徴とする請求項１記載の包装箱。
【請求項３】
前記部分折線は、前記２組の対向側板が繋がりその対向する連設線で折り畳んだ状態における長寸法側板と短寸法側板の幅方向の合計寸法のほぼ中間位置に形成されていることを特徴とする請求項１または２記載の包装箱。
【請求項４】
前記部分折線が形成される上蓋形成用フラップには、この部分折線の延長線上の端縁にＶ状のカット部を形成したことを特徴とする請求項１または２または３記載の包装箱。
【発明の詳細な説明】
【０００１】
【発明の属する技術分野】
本発明は、例えば縦型のＤＶＤプレーヤーなどの被包装物を横に寝かせた状態で収納する段ボール板製の包装箱に関するものである。
【０００２】
【従来の技術】
従来から特に大型の製品を収納する段ボール板製の包装箱を最終的に廃棄処分する場合、手で破るなどして小さく切り刻み、合成樹脂製のごみ袋に入れるなどして棄てるか、あるいは無理やり小さくなるように折り畳み、封緘テープや紐で折り畳み状態を保持して棄てているのが現状である。しかしながら、段ボール板を手で破って小さく切り刻むのは力を要し、非常に手間であり、また段ボール板製の包装箱を無理やり小さくなるように折り畳む場合、折曲線のない部分で折り畳まなければならず、この場合も力を要し、さらにこの折り畳み状態を保持しつつ封緘テープや紐を巻き付けるのに手間が掛かり、廃棄処分が煩わしいという問題があった。
【０００３】
そこでこのような問題を解決すべく平面的に折り畳みでき、廃棄処分に便利な包装箱として、特許文献１に開示されているものが知られている。
【０００４】
【特許文献１】
実開昭６１−５６２２６号公報
【０００５】
【発明が解決しようとする課題】
しかしながら、上記特許文献１に開示されている包装箱は、フラップの折曲線に沿ってミシン目状カット線が形成されており、ミシン目状カット線を切り開くことにより平面的に折り畳むことができるが、１枚の板部の途中の折曲線のない部分で折り畳む場合は上記した廃棄処分の仕方と同様に力を要し、１枚の板部の途中でコンパクトに折り畳むのに上記した廃棄処分の仕方と同様の手間が掛かるという問題があった。
【０００６】
本発明はこのような課題を解決するもので、段ボール板製の包装箱の廃棄処分時の折り畳みを容易に行なえるようにすることを目的とするものである。
【０００７】
【課題を解決するための手段】
この課題を解決するために本発明は、段ボール板を材料として作られ、２組の対向側板と、この対向側板の下端に連設された底板形成用フラップと、この対向側板の上端に連設された上蓋形成用フラップとを備えてなる平面形状が矩形の包装箱であって、上蓋形成用フラップおよび底板形成用フラップの適所における側板間の連設線と平行な線上に切刃または罫線などの折り畳み用の部分折線を形成してなることを要旨とするものである。また本発明は、前記２組の対向側板の内、一方の対向側板の幅が他方の対向側板に比べて長い寸法に設定され、前記部分折線は、前記長寸法の対向側板の一方の側板に連設された上蓋形成用フラップおよび底板形成用フラップに形成されていることを要旨とするものである。また本発明は、前記部分折線は、前記２組の対向側板が繋がりその対向する連設線で折り畳んだ状態における長寸法側板と短寸法側板の幅方向の合計寸法のほぼ中間位置に形成されていることを要旨とするものである。さらに本発明は、前記部分折線が形成される上蓋形成用フラップには、この部分折線の延長線上の端縁にＶ状のカット部を形成したことを要旨とするものである。
【０００８】
この構成により、上蓋形成用フラップおよび底板形成用フラップの適所に切刃または罫線などの折り畳み用の部分折線を形成することにより、段ボール板製の包装箱の廃棄処分時において包装箱をコンパクトに小さく折り畳むことが容易となる。また、部分折線はこのように上蓋形成用フラップおよび底板形成用フラップに形成されていて、側板には形成されていないので、包装箱の使用時における強度を確保することができる。
【０００９】
【発明の実施の形態】
以下、本発明の一実施の形態について、図面に基づいて説明する。
図１〜図７において、１は段ボール板を材料として作られ平面形状が長方形（もしくは正方形）などの矩形の包装箱であって、２組の対向側板２，２、３，３と、この対向側板２，２、３，３の下端に連設された底板形成用フラップ４，４、５，５と、この対向側板２，２、３，３の上端に連設された上蓋形成用フラップ６，６、７，７とを備えている。具体的には、２組の対向側板２，２、３，３の内、一方の対向側板２，２の幅が他方の対向側板３，３の幅に比べて短い寸法に設定されて、その短辺側の対向側板２，２の下端に連設された小さな底板形成用フラップ４，４は先に折り曲げられ、続いて２組の対向側板２，２、３，３の内、長辺側の対向側板３，３の下端に連設されて先端が互いに突き合わされるように閉じられる底板形成用フラップ５，５を折り曲げることによって底板形成用フラップ４，４と底板形成用フラップ５，５とで２重構造の底板が形成されるようになっている。なお、前記底板形成用フラップ５，５の突き合わせ部は封緘テープ８により止められる。また、上蓋形成用フラップ６，６、７，７については、２組の対向側板２，２、３，３の内、短辺側の対向側板２，２の上端に連設された小さな上蓋形成用フラップ６，６は先に折り曲げられ、続いて２組の対向側板２，２、３，３の内、長辺側の対向側板３，３の上端に連設され包装箱１の天面積と同じ面積の大きさの上蓋形成用フラップ７，７を折り曲げて重ねることによって上蓋形成用フラップ６，６と上蓋形成用フラップ７，７とで３重構造の上蓋が形成されるようになっている。なお、前記上蓋形成用フラップ７，７の内、上側に位置する上蓋形成用フラップ７は遊端部が長辺側の側板３に対し封緘テープ９により止められる。ところで、上蓋が閉じられる前に包装箱１の中に被包装物１０が発泡スチロール製の緩衝材１１により保護された状態で収納される。
【００１０】
上記構成の包装箱１は１１００ｍｍ×３００ｍｍ×３２０ｍｍ程度の大型の包装箱であって、前記上蓋形成用フラップ７，７の内、下側に位置する上蓋形成用フラップ７およびこの下側に位置する上蓋形成用フラップ７を連設した長辺側の側板３の下端に連設された底板形成用フラップ５には、長辺側の側板３と短辺側の側板２との間の連設線（折曲線）と平行な線上で折り畳み用の部分折線としての切刃１２および１３が形成されている。
【００１１】
前記封緘テープ９を剥がして上蓋形成用フラップ６，６、７，７を開いた状態で包装箱１から被包装物１０および緩衝材１１を取り出し、その後包装箱１を廃棄処分する場合は底板形成用フラップ４，４、５，５を閉じている封緘テープ８を剥がし、２組の対向側板２，２、３，３に対して底板形成用フラップ４，４、５，５および上蓋形成用フラップ６，６、７，７を面一状に開き、包装箱１を図５に示すように筒状にした状態で短辺側の対向側板２，２と長辺側の対向側板３，３との２箇所の連設線（折曲線）で図６（ａ）に示すように偏平状に畳み、かかる状態で図６（ｂ）に示すように図６（ａ）において両端に位置する短辺側の対向側板２，２を短辺側の対向側板２，２と長辺側の対向側板３，３との残りの２箇所の連設線（折曲線）でそれに重なる長辺側の対向側板３，３とともに、前記切刃１２および１３が形成されている下側に位置する上蓋形成用フラップ７およびこの下側に位置する上蓋形成用フラップ７を連設した長辺側の側板３の下端に連設された底板形成用フラップ５を内側にして折り畳み、その状態で図６（ｃ）に示すように前記両端に位置する短辺側の対向側板２，２の折り畳み線間の中央部に位置するように形成されている前記切刃１２および１３の位置で２枚重ねの長辺側の対向側板３，３ならびにこの対向側板３，３の下端に連設されている底板形成用フラップ５，５とこの対向側板３，３の上端に連設されている上蓋形成用フラップ７，７を内側に折り畳むことによって図６（ａ）に示す偏平状の包装箱１のほぼ４分の１の大きさとなる。そして最終的にこの図６（ｃ）に示す折り畳み状態で図７に示すように前記剥がされた封緘テープ８，９を紐代わりに利用して結び付けることにより廃棄処分できる状態となる。
【００１２】
ところで、前記切刃１２および１３が形成されている位置は前述の通りであり、さらに詳しくは前記２組の対向側板２，２、３，３が繋がりその対向する連設線で折り畳んだ図６（ａ）に示す状態における長寸法側板Ｘと短寸法側板Ｙの幅方向の合計寸法Ｚのほぼ中間位置に形成されていることによって、図６（ｂ）に示す前記両端に位置する短辺側の対向側板２，２の折り畳み線間の中央部に位置し、切刃１２が形成されている下側に位置する上蓋形成用フラップ７の端縁には切刃１２および１３の延長線上においてＶ状のカット部１４が形成されていて、切刃１２および１３の位置の目印としている。このような構成により、包装箱１の廃棄処分時に包装箱１の折り畳み作業が非常に簡単に行なえることになる。
【００１３】
なお、以上述べた実施の形態において、前記切刃１２および１３は前記下側に位置する上蓋形成用フラップ７および底板形成用フラップ５に形成されていて、長辺側の側板３には形成されていないので、包装箱１の使用時における強度上の問題はない。また、前記上蓋形成用フラップ７および底板形成用フラップ５に形成されている切刃１２および１３の代わりに、罫線あるいはミシン目状カット線などを形成するようにしても良い。
【００１４】
【発明の効果】
以上のように本発明によれば、上蓋形成用フラップおよび底板形成用フラップの適所に切刃または罫線などの折り畳み用の部分折線を形成することにより、段ボール板製の包装箱の廃棄処分時において包装箱をコンパクトに小さく折り畳むことが容易となる。また、部分折線はこのように上蓋形成用フラップおよび底板形成用フラップに形成されていて、側板には形成されていないので、包装箱の使用時における強度を確保することができる。
【図面の簡単な説明】
【図1】本発明の一実施の形態における包装箱の展開図である。
【図2】同包装箱に被包装物を収納する前の状態を示す全体斜視図である。
【図3】同包装箱に被包装物を収納する途中の状態を示す斜視図である。
【図4】同包装箱に被包装物を収納した状態を示す斜視図である。
【図5】同包装箱を廃棄処分するために筒状にした状態を示す斜視図である。
【図6】（ａ）〜（ｃ）は同包装箱を廃棄処分するために折り畳む順序を示す斜視図である。
【図7】同包装箱を廃棄処分する状態を示す斜視図である。
【符号の説明】
１            包装箱
２，３        側板
４，５        底板形成用フラップ
６，７        上蓋形成用フラップ
８，９        封緘テープ
１０            被包装物
１１            緩衝材
１２，１３      切刃
１４            Ｖ状のカット部
【図１】
2004203440.tif 000003
【図２】
2004203440.tif 000004
【図３】
2004203440.tif 000005
【図４】
2004203440.tif 000006
【図５】
2004203440.tif 000007
【図６】
2004203440.tif 000008
【図７】
2004203440.tif 000009